(57)【要約】【課題】風路部材を設けることなく室内の気密性能、断熱性能の低下を防止することのできる換気装置を提供することを目的とする。【解決手段】本体２側面に排気ダクト７接続である室外排気口９を備え、本体２下面に室内空気３を吸込む本体吸込み口４を備え、本体吸込み口４下部に室内空気吸込み口４を備えた化粧グリル６を備え、室外排気口９と本体吸込み口４とを排気ファンと排気ケーシングからなる排気経路により連通され、排気経路を略直方体の本体２内部に配置された換気装置であって、本体下面に本体吸込み口４を形成する壁部１３を備え、壁部１３の全周に沿わせてなる化粧グリル６に設けられた突壁１５を摺動自在に嵌合する構成としたので、風路部材を設けることなく室内の気密性能、断熱性能の低下を防止することができる。【選択図】図１
2006284114.tif 000002
【特許請求の範囲】
【請求項１】
本体側面に室外排気用ダクト接続部を有する室外排気口を備え、本体下面に室内空気を吸込む本体吸込み口を備え、前記本体吸込み口下部に室内空気吸込み口を備えた化粧グリルを備え、前記室外排気口と前記本体吸込み口とを排気ファンと排気ケーシングからなる排気経路により連通され、前記排気経路を略直方体の本体内部に配置された換気装置であって、前記本体下面に前記本体吸込み口を形成する壁部を備え、前記壁部の全周に沿わせてなる前記化粧グリルに設けられた突壁を摺動自在に嵌合する構成としたことを特徴とする換気装置。
【請求項２】
前記本体下面に前記壁部全周と内接する凹部を備え、前記突壁を前記凹部へ摺動自在に嵌合する構成としたことを特徴とする請求項１記載の換気装置。
【請求項３】
前記壁部および前記突壁を略正方形に配置して備えたことを特徴とする請求項１または２記載の換気装置。
【請求項４】
前記壁部の内側に複数の締結手段を設け、前記突壁の内側に複数の締結受部を設け、複数の前記締結手段をそれぞれ前記突壁の中心軸の同心円上で正方形を形成する位置に配置し、複数の前記締結受部をそれぞれ前記締結手段と対向する位置に配置したことを特徴とする請求項３記載の換気装置。
【請求項５】
前記締結手段を前記壁部の角部に配置したことを特徴とする請求項４記載の換気装置。
【請求項６】
前記締結受部としてネジ取付部を備え、前記締結手段として開口穴を備え、前記開口穴と前記ネジ取付部とを連通し取り付けネジで締結する構成としたことを特徴とした請求項４または５記載の換気装置。
【請求項７】
全長調節可能な略円筒形状のスペーサーを介し、前記開口穴と前記ネジ取付部を連通し、前記取り付けネジで締結することを特徴とした請求項６記載の換気装置。
【請求項８】
前記開口穴外周囲に凸リブを設け、前記凸リブに前記スペーサーを挿入嵌合することを特徴とした請求項７記載の換気装置。
【請求項９】
前記スペーサー側筒面に、薄肉部、ケガキおよび突起等の切断用目印を設けたことを特徴とする請求項８記載の換気装置。
【請求項１０】
落下防止用爪部および落下防止用受部で前記化粧グリルの落下防止手段構成し、前記壁部の内側に落下防止用爪部を設け、前記突壁内側に複数の落下防止受部を設け、前記壁部の中心軸に対し前記突壁を０°、９０°、１８０°および２７０°のすべてもしくはいずれかの角度で回転させた際に、前記落下防止受部を前記落下防止用爪部と対向する位置に配置したことを特徴とした請求項３〜９のいずれかに記載の換気装置。
【請求項１１】
誤取付防止リブとリブ接地部が前記突壁と前記壁部の装着直前に当接することで前記本体下面と前記化粧グリルの誤位置の取付防止ができる誤取付防止手段を構成し、前記突壁内側に誤取付防止リブを設け、前記壁部内側にリブ接地部を設け、前記壁部の中心軸に対し前記突壁を９０°、１８０°もしくは２７０°の任意の角度で回転させ装着した際に、前記誤取付防止リブが前記リブ接地部と対向する位置で配置されていることを特徴とした請求項３〜１０のいずれかに記載の換気装置。
【請求項１２】
前記化粧グリルに開口部を備え、前記開口部と同形状であり前記室内空気吸込み口を備えた吸込みパネルを備え、前記開口部に前記吸込みパネルを嵌合することを特徴とした請求項１〜１１のいずれかに記載の換気装置。
【請求項１３】
前記室内空気吸込み口にネットを配置し、前記ネットを前記室内空気吸込み口より大なる板状の格子と室内空気吸い込み口で挟み固定することを特徴とする請求項１〜１２のいずれかに記載の換気装置。
【請求項１４】
前記吸込みパネルと前記化粧グリルが略アーチ状の凸形状で形成されることを特徴とした請求項１２または１３記載の換気装置。
【発明の詳細な説明】
【技術分野】
【０００１】
本発明は、本体を天井内へ設置し、室内天井面に化粧グリルを備え、本体を介して化粧グリルより吸引した室内空気を室外へ排気する換気装置に関する。
【背景技術】
【０００２】
従来、この種の換気装置としては、天井面に取り付けられた化粧グリルより住宅内の空気を吸込み、室外へ排出する排気経路を備え、化粧グリルに設けた１対の弾性材料からなるＶ字形状の係着部材で本体に設けた長孔と係着することで化粧グリルと嵌合する換気装置が知られている（例えば、特許文献１参照）。
【０００３】
以下、図８および図９をもとにその構成を説明する。天井１００に換気口１０１を設け、この天井１００内に本体１０２を取り付け、さらに本体１０２の室内側には化粧グリル１０３を備えた換気装置１０４において、換気口１０１の室内側に吸込空気口１０５を臨ませて設けた本体１０２を配置し、本体１０２に備えた排気口１０６に室外側へ貫通する排気ダクト１０７を接続している。本体１０２の吸込空気口１０５の周縁は、線対象に長孔１０８を２ヶ所備えている。換気口１０１より大なるサイズで覆い隠す化粧グリル１０３は、本体１０２の長孔１０８に対向する位置に、支持軸１０９を備えた固定金具１１０を突設している。支持軸１０９には中央部が支着されたＶ字形状の弾性材料からなる係着部材１１１を設けており、係着部材１１１の両端は換気口１０１を介して本体１０２の長孔１０８にＶ字成型方向へ両端をせばめて嵌合し係着する。係着部材１１１を長孔１０８に係着させた状態において、係着部材１１１はＶ字成型方向へ開口する弾性力が長孔１０８に作用し、その結果、化粧グリル１０３は換気口１０１へ引き付けられ嵌合するものである。
【特許文献１】実公昭４７―３８７４４号公報
【発明の開示】
【発明が解決しようとする課題】
【０００４】
しかしながら、従来の上記換気装置では、化粧グリル１０３と本体１０２の間に気密性がないため、断熱空間である室内と非断熱空間である天井裏内の気密性が破られ、気密性能の低下により室内の断熱性能が低下し、冷暖房費が向上する課題がある。また、本体１０２が室内空気を吸気する時に、本体１０２と換気口１０１の隙間より天井裏内の空気を吸引し、その結果天井裏内の吸気量分だけ室内排気量が減少する課題がある。もし、この課題を解決しようとするならば、化粧グリル１０３と本体１０２の気密性を保ちながら接続する風路部材が必要になり、さらに風路部材を取り付ける施工も必要となる。また、風路部材の長さも本体１０２と化粧グリル１０３の距離に対応する必要があり、距離に応じた多種の風路部材を用意しなければならない課題がある。
【０００５】
本発明は、このような従来の課題を解決するものであり、風路部材を設けることなく室内の気密性能、断熱性能の低下を防止することのできる換気装置を提供することを目的とする。
【課題を解決するための手段】
【０００６】
本発明の換気装置は上記目的を達成するために、本体側面に室外排気用ダクト接続部を有する室外排気口を備え、本体下面に室内空気を吸込む本体吸込み口を備え、前記本体吸込み口下部に室内空気吸込み口を備えた化粧グリルを備え、前記室外排気口と前記本体吸込み口とを排気ファンと排気ケーシングからなる排気経路により連通され、前記排気経路を略直方体の本体内部に配置された換気装置であって、前記本体下面に前記本体吸込み口を形成する壁部を備え、前記壁部の全周に沿わせてなる前記化粧グリルに設けられた突壁を摺動自在に嵌合する構成としたものである。
【０００７】
また、本発明の換気装置は、前記本体下面に前記壁部全周と内接する凹部を備え、前記突壁を前記凹部へ摺動自在に嵌合する構成としたものである。
【０００８】
また、本発明の換気装置は、前記壁部および前記突壁を略正方形に配置して備えたものである。
【０００９】
また、本発明の換気装置は、前記壁部の内側に複数の締結手段を設け、前記突壁の内側に複数の締結受部を設け、複数の前記締結手段をそれぞれ前記突壁の中心軸の同心円上で正方形を形成する位置に配置し、複数の前記締結受部をそれぞれ前記締結手段と対向する位置に配置したものである。
【００１０】
また、本発明の換気装置は、前記締結手段を前記壁部の角部に配置したものである。
【００１１】
また、本発明の換気装置は、前記締結受部としてネジ取付部を備え、前記締結手段として開口穴を備え、前記開口穴と前記ネジ取付部とを連通し取り付けネジで締結する構成としたものである。
【００１２】
また、本発明の換気装置は、全長調節可能な略円筒形状のスペーサーを介し、前記開口穴と前記ネジ取付部を連通し、前記取り付けネジで締結するものである。
【００１３】
また、本発明の換気装置は、前記開口穴外周囲に凸リブを設け、前記凸リブに前記スペーサーを挿入嵌合するものである。
【００１４】
また、本発明の換気装置は、前記スペーサー側筒面に、薄肉部、ケガキおよび突起等の切断用目印を設けたものである。
【００１５】
また、本発明の換気装置は、落下防止用爪部および落下防止用受部で前記化粧グリルの落下防止手段構成し、前記壁部の内側に落下防止用爪部を設け、前記突壁内側に複数の落下防止受部を設け、前記壁部の中心軸に対し前記突壁を０°、９０°、１８０°および２７０°のすべてもしくはいずれかの角度で回転させた際に、前記落下防止受部を前記落下防止用爪部と対向する位置に配置したものである。
【００１６】
また、本発明の換気装置は、誤取付防止リブとリブ接地部が前記突壁と前記壁部の装着直前に当接することで前記本体下面と前記化粧グリルの誤位置の取付防止ができる誤取付防止手段を構成し、前記突壁内側に誤取付防止リブを設け、前記壁部内側にリブ接地部を設け、前記壁部の中心軸に対し前記突壁を９０°、１８０°もしくは２７０°の任意の角度で回転させ装着した際に、前記誤取付防止リブが前記リブ接地部と対向する位置で配置されているものである。
【００１７】
また、本発明の換気装置は、前記化粧グリルに開口部を備え、前記開口部と同形状であり前記室内空気吸込み口を備えた吸込みパネルを備え、前記開口部に前記吸込みパネルを嵌合するものである。
【００１８】
また、本発明の換気装置は、前記室内空気吸込み口にネットを配置し、前記ネットを前記室内空気吸込み口より大なる板状の格子と室内空気吸込み口で挟み固定するものである。
【００１９】
また本発明の換気装置は、前記吸込みパネルと前記化粧グリルが略アーチ状の凸形状で形成されるものである。
【発明の効果】
【００２０】
本発明によれば、風路部材を設けることなく室内の気密性能、断熱性能の低下を防止することのできる換気装置を提供することができる。
【発明を実施するための最良の形態】
【００２１】
本発明の請求項１に記載の換気装置は、本体側面に室外排気用ダクト接続部を有する室外排気口を備え、本体下面に室内空気を吸込む本体吸込み口を備え、前記本体吸込み口下部に室内空気吸込み口を備えた化粧グリルを備え、前記室外排気口と前記本体吸込み口とを排気ファンと排気ケーシングからなる排気経路により連通され、前記排気経路を略直方体の本体内部に配置された換気装置であって、前記本体下面に前記本体吸込み口を形成する壁部を備え、前記壁部の全周に沿わせてなる前記化粧グリルに設けられた突壁を摺動自在に嵌合する構成としたものであり、室内空気吸込み口と本体吸込み口までの風路が隙間無く容易に形成され、室内空気吸込み口から吸引された室内空気が本体吸込み口を介し排気経路に吸引され、室外排気口を介し排気ダクトへ送風され室外へ排気される室内排気風路が形成される。また、突壁と壁部はお互いの先端から末端位置まで嵌合位置を可変とすることができるため、室内排気経路を形成したまま本体下面と化粧グリルの天井板設置面までの距離を変更することができ、ひいては、天井板の厚さなどによる本体と化粧グリルの距離が違う設置パターンへの対応が可能となる。また、突壁および壁部はそれぞれ化粧グリルおよび本体と一体化で構成されたまま施工ができるため、例えば本体吸込み口と室内空気吸込み口の風路構成を形成する風路部材が不要になり、さらに、風路部材を取り付ける施工も不要となる。
【００２２】
また、請求項２に記載の発明は、前記本体下面に前記壁部全周と内接する凹部を備え、前記突壁を前記凹部へ摺動自在に嵌合する構成としたものであり、化粧グリルの突壁の高さを本体下面に当接する長さ以上に設けることができ、具体的には凹部の深さに相当する長さ分だけ突壁を長く設けることができるため、本体下面と化粧グリルの天井板設置面までの距離を長く備えることができ、ひいては、本体と化粧グリルの距離が長い設置パターンへの対応が可能になる。
【００２３】
また、請求項３に記載の発明は、前記壁部および前記突壁を略正方形に配置して備えたものであり、片方を中心軸に対し９０°、１８０°、２７０°の角度で回転させた際にもお互い装着可能になり、例えば化粧グリルの設置向きによって室内のインテリア性が変わる場合においても、本体の設置向きを変えずにインテリア性が最も高い化粧グリルの配置が可能となる。また、設置後に化粧グリルの設置向きを変更したい場合においても、本体の設置向きによらず容易に変更が可能となる。また、本体の設置向きについても、化粧グリルの設置向きを考慮せずに設置ができるため、換気装置の設置および設置計画が容易に行える。
【００２４】
また、請求項４に記載の発明は、前記壁部の内側に複数の締結手段を設け、前記突壁の内側に複数の締結受部を設け、複数の前記締結手段をそれぞれ前記突壁の中心軸の同心円上で正方形を形成する位置に配置し、複数の前記締結受部をそれぞれ前記締結手段と対向する位置に配置したものであり、天井板に設置された化粧グリルの落下を防止することができる。
【００２５】
また、請求項５に記載の発明は、前記締結手段を前記壁部の角部に配置したものであり、天井板と化粧グリルの平面度が出ていない場合、例えば天井板の変曲や天井板に貼られたクロスの貼りムラ、化粧グリルの反りなどがあった場合においても、４角部で締結することで密着性の改善ができる。
【００２６】
また、請求項６に記載の発明は、前記締結受部としてネジ取付部を備え、前記締結手段として開口穴を備え、前記開口穴と前記ネジ取付部とを連通し取り付けネジで締結する構成としたものであり、本体下面と化粧グリルの天井板設置面までの距離が違う設置パターンにおいても、化粧グリルと天井板が密着した配置に取付ネジで調節し落下防止を行うことができる。
【００２７】
また、請求項７に記載の発明は、全長調節可能な略円筒形状のスペーサーを介し、前記開口穴と前記ネジ取付部を連通し、前記取り付けネジで締結するものであり、本体下面と化粧グリルの天井板設置面の距離により生じたネジ取付部と開口穴との空間に、スペーサーを配置することができ、例えばスペーサーを配置しない状態では取付ネジの締結完了時においてもネジ取付部と開口穴の当たりがなく、作業者は締結完了感が得られないため必要以上に取付ネジの締結作業をしてしまい、結果としてネジ取付部と開口穴の空間に必要以上のテンションが生じ、テンションのかけ過ぎによるネジ取付部および開口穴の破損が生じてしまうが、スペーサーを配置することでネジ取付部と開口穴の当たりがスペーサーを介して生じ、作業者は締結完了感を得られ、テンションのかけ過ぎによるネジ取付部および開口穴の破損を防止できる。
【００２８】
また、請求項８に記載の発明は、前記開口穴外周囲に凸リブを設け、前記凸リブに前記スペーサーを挿入嵌合するものであり、作業者が化粧グリルを本体に装着する際に、一方の手で開口穴とネジ取付部の位置を合わせ、他方の手で取付ネジの締結をすることで化粧グリルを本体に装着でき、スペーサーの固定、開口穴とネジ取付部の位置合わせおよび取付ネジの締結作業を同時に行う必要がない本体への化粧グリルの取付を容易に行うことができる。
【００２９】
また、請求項９に記載の発明は、前記スペーサー側筒面に、薄肉部、ケガキおよび突起等の切断用目印を設けたもので、切断用目印を目印にしてスペーサーの切断面が開口穴およびネジ取付部と平行に切断することができるため、スペーサーと開口穴もしくはネジ取付部の当接面が平行に当接でき、ひいては、取付ネジの締結時に、スペーサーと開口穴もしくはネジ取付部の当接面に均等にテンションが加わり、局所的な破損を防止できる。また、複数のスペーサーをすべて同一の高さに切断することができ、本体下面とスペーサーを平行に設置することができる。また、特に切断用目印として薄肉部を設けた場合、薄肉部以外を切断するより容易に切断を実施することができる。
【００３０】
また、請求項１０に記載の発明は、落下防止用爪部および落下防止用受部で前記化粧グリルの落下防止手段構成し、前記壁部の内側に落下防止用爪部を設け、前記突壁内側に複数の落下防止受部を設け、前記壁部の中心軸に対し前記突壁を０°、９０°、１８０°および２７０°のすべてもしくはいずれかの角度で回転させた際に、前記落下防止受部を前記落下防止用爪部と対向する位置に配置したものであり、本体下部の壁部に取り付けられた落下防止用金具および化粧グリルの突壁に取り付けられた落下防止用受部によって、化粧グリル取り付け時の作業ミスにより化粧グリルを落下しても、化粧グリルの落下防止受け部が落下防止用金具に保持されて床面まで落下することがなく、化粧グリルの破損や変形による再取り付け不能状態に至らない。また、化粧グリルを０°、９０°、１８０°および２７０°で回転させて取り付けた場合でも落下防止金具と相対する位置に落下防止受部を設けているため、落下防止金具は化粧グリルに設けた落下防止受部を保持することができ、化粧グリルの取り付け角度にかかわらず化粧グリルの落下を防止できる。
【００３１】
また、請求項１１に記載の発明は、誤取付防止リブとリブ接地部が前記突壁と前記壁部の装着直前に当接することで前記本体下面と前記化粧グリルの誤位置の取付防止ができる誤取付防止手段を構成し、前記突壁内側に誤取付防止リブを設け、前記壁部内側にリブ接地部を設け、前記壁部の中心軸に対し前記突壁を９０°、１８０°もしくは２７０°の任意の角度で回転させ装着した際に、前記誤取付防止リブが前記リブ接地部と対向する位置で配置されているものであり、本体下面へ化粧グリルを設計者の意図した角度以外で取り付けようとした場合に、突壁が壁部へ挿入前に誤取付防止リブがリブ接地部と当たるため取り付けができなくなり、作業者へ取り付けが間違っていることを知らせることとともに、設計者の意図しない角度での取り付けを防止することになる。
【００３２】
また、請求項１２に記載の発明は、前記化粧グリルに開口部を備え、前記開口部と同形状であり前記室内空気吸込み口を備えた吸込みパネルを備え、前記開口部に前記吸込みパネルを嵌合するものであり、化粧グリルから吸い込みパネルを着脱するのみで、化粧グリルを天井板から取り外すことなく本体下面のメンテをすることができる。
【００３３】
また、請求項１３に記載の発明は、前記室内空気吸込み口にネットを配置し、前記ネットを前記室内空気吸込み口より大なる板状の格子と室内空気吸込み口で挟み固定するものであり、例えば室内空気吸込み口をネットと格子板でインサート成型で固定した場合は、ネット両面が樹脂の格子で成型されてしまうが、前述の方法によると、格子がネットの一面のみで固定できるため他方の面はネットのみで格子がなく、清掃を行う際に格子が掃除機や雑巾の障害にならない容易な清掃を行うことができる。
【００３４】
また、請求項１４に記載の発明は、前記吸込みパネルと前記化粧グリルが略アーチ状の凸形状で形成されるものであり、平板状の形状に比べ強度が強くなるため、外力が加わった場合や自重による変形に強くなる。
【００３５】
以下、本発明の実施の形態について図１〜図７を参照しながら説明する。
【００３６】
（実施の形態１）
本発明の換気装置は、建物内の廊下およびホール等の居室以外の天井裏１内に設置される略直方体の本体２と、本体２下面に室内空気３を本体２内部へ吸引する本体吸込み口４とメンテ口（図示せず）を備え、本体吸込み口４下部に天井板５に装着される化粧グリル６を備え、本体２側面に排気ダクト７を介し本体２で吸引した室内空気３を室外８へ排気する室外排気口９を備えている。また、化粧グリル６は中央にメンテ口（図示せず）より大なる開口部１０を設けており、開口部１０は室内空気３を吸引する室内空気吸込み口１１を備えた吸込みパネル１２と着脱自在に嵌合している。
【００３７】
また、本体２下面は略正方形状をしており、本体２下面の外周４稜には室内側へ突き出した略正方形のスカート状に形成された壁部１３を備え、本体２下面には、壁部１３全周の内側面に内接する略正方形状に形成された凹部１４を設けている。化粧グリル６の本体２側平面上には、前記壁部１３の内側面と内接する略正方形のスカート状の突壁１５が配置され、天井板５に開けられた開口角穴１６を介し、壁部１３内側面および凹部１４内部が摺動自在に嵌合する。また、室内空気吸い込み口１１、本体吸込み口４、室外排気口９
および排気ダクト７は本体２内部に備えた排気ファン（図示せず）と排気ケーシング（図示せず）からなる排気経路（図示せず）により連通される構成となっている。
【００３８】
また、化粧グリル６の突壁１５の４角部には、それぞれ平面１７を設け、突壁１５の中心軸から点対象に配置された締結手段としての４つの開口穴１８を平面１７上に備えており、本体２下面に開口穴１８と対向する配置で締結受部としてのネジ取付部１９を備え、開口穴１８とネジ取付部１９を、略円筒形状のスペーサー２０を介し取付ネジ２１で連通する構成としている。
【００３９】
また、ネジ取付部１９外周囲に、室内側へ突き出しスペーサー２０の内径と同一サイズの外径を備えた凸リブ２２を設け、スペーサー２０の内側面を筒形状の凸リブ２２の外側面に挿入し嵌合する構成としている。
【００４０】
また、スペーサー２０の外側筒面上に、開口穴１８およびネジ取付部１９と平行な円を描く円形薄肉部２３を、スペーサー２０の中心軸に沿って一定間隔で複数配置した構成としている。
【００４１】
また、上下に伸縮自在のコの字形状の落下防止用金具２４を、壁部１３の内側面近傍に設け、落下防止用金具２４の先端を保持する落下防止用受部２５を、突壁１５を中心軸に対し０°、９０°および２７０°のそれぞれ角度で壁部１３へ装着した際に落下防止用金具２４と対向する位置の突壁１５の内側面上３ヶ所に設けた構成としている。
【００４２】
また、本体２下面の壁部１３の内側面近傍に、壁部１３先端に達する高さの誤取付防止リブ２６を設け、突壁１５を中心軸に対し１８０°の角度で装着した際に、誤取付防止リブ２６と当接するリブ接地部２７を突壁１５先端に設けた構成としている。
【００４３】
また、室内空気吸込み口１１より大なるサイズのネット２８を、室内空気吸込み口１１の全面に配置し、室内空気吸込み口１１より大なるサイズであり、格子状に複数の角穴の開いた板形状の格子板２９で挟むことでネット２８を固定する構成としている。
【００４４】
また、吸込みパネル１２および化粧グリル６の室内側面は連続面で接続され、断面が略アーチ状の膨らみを持つ形状で形成される構成としている。
【００４５】
上記構成において、突壁１５の外周面全周を壁部１３の内周面全周へ摺動自在に移動し
て嵌合することにより、室内空気吸込み口１１と本体吸込み口４までの風路が隙間なく容易に形成され、室内空気吸込み口１１から吸引された室内空気３が本体吸込み口４を介し排気経路（図示せず）に吸引され、室外排気口９を介し排気ダクト７へ送風され室外８へ排気される室内排気風路が形成される。また、突壁１５と壁部１３はお互いの先端から端末位置まで嵌合位置を可変とすることができるため、室内排気経路を形成したまま本体２下面と化粧グリル６の天井板５設置面までの距離を変更することができ、ひいては、天井板５の厚さなどによる本体２と化粧グリル６の距離が違う設置パターンへの対応が可能となる。
【００４６】
また、突壁１５および壁部１３はそれぞれ化粧グリル６および本体２と一体化で構成されたまま施工ができるため、例えば本体吸込み口４と室内空気吸込み口１１の風路構成を形成する風路部材が不要になり、さらに、風路部材を取り付ける施工も不要となる。
【００４７】
なお、本実施の形態１では、突壁１５と壁部１３が直接嵌合する内容で説明しているが、例えばウレタン材などの緩衝材を介して突壁１５と壁部１３を嵌合した場合においても、効果に差異はない。また、第３種換気装置に限らず、例えば第１種換気装置などの排気経路がある換気装置であれば同様の効果を有する。
【００４８】
また、突壁１５が凹部１４の内側まで摺動自在に嵌合することにより、化粧グリル６の
突壁１５の高さを本体２下面に当接する長さ以上に設けることができ、具体的には凹部１４の深さに相当する長さ分だけ突壁１５を長く設けることができるため、本体２下面と化粧グリル６の天井板５設置面までの距離を長く備えることができ、ひいては、本体２と化粧グリル６の距離が長い設置パターンへの対応が可能になる。
【００４９】
また、突壁１５と壁部１３は正方形状をしているため、片方を中心軸に対し９０°、１８０°、２７０°の角度で配置した際にもお互い装着可能になり、例えば化粧グリル６の設置向きによって室内のインテリア性が変わる場合においても、本体２の設置向きを変えずにインテリア性が最も高い化粧グリル６の配置が可能となる。また、設置後に化粧グリル６の設置向きを変更したい場合においても、本体２の設置向きによらず容易に変更が可能となる。また、本体２の設置向きについても、化粧グリル６の設置方向を考慮せずに設置ができるため、換気装置の設置および設置計画が容易に行える。
【００５０】
また、壁部１３と突壁１５の4角部を取付ネジ２１で締結し、化粧グリル６を本体２へ固定するため、天井板５に設置された化粧グリル６の落下を防止することができ、さらに化粧グリル６の天井板５設置面と本体２下面までの距離が違う設置パターンにおいても、化粧グリル６と天井板５が密着した配置に取付ネジ２１で調節することができる。また、天井板５と化粧グリル６の平面度が出ていない場合、例えば天井板５の変曲や天井板５に貼られたクロスの貼りムラ、化粧グリル６の反りなどがあった場合においても、取付ネジ２１の締結状態の調整を行うことで密着性の改善ができる。
【００５１】
なお、本実施の形態１では、本体２下面にネジ取付部１９を取り付けているが、本体２下面ではなく、例えば壁部１３内側面などの本体と繋がる部位に設けても効果に差異はない。また、開口穴１８についても、化粧グリル６に繋がる部位に設け取付ネジ２１にて締結できる形態ならば効果に差異はない。
【００５２】
また、スペーサー２０を介しネジ取付部１９と開口穴１８を取付ネジ２１で締結することで、本体２下面と化粧グリル６の天井板５設置面の距離により生じたネジ取付部１９と開口穴１８との空間に、スペーサー２０を配置することができ、例えばスペーサー２０を配置しない状態では、ネジの締結完了時においてもネジ取付部１９と開口穴１８の当たりがなく、作業者は締結完了感が得られないため必要以上に取付ネジ２１の締結作業をしてしまい、結果としてネジ取付部１９と開口穴１８の空間に必要以上のテンションが生じ、テンションのかけ過ぎによるネジ取付部１９および開口穴１８の破損が生じてしまうが、スペーサー２０を配置することで、ネジ取付部１９と開口穴１８の当たりがスペーサー２０を介して生じ、作業者に締結完了感が得られ、テンションのかけ過ぎによるネジ取付部１９および開口穴１８の破損を防止できる。
【００５３】
また、凸リブ２２へスペーサー２０を挿入嵌合することで、作業者が化粧グリル６を本体に装着する手順として、一方の手で開口穴１８とネジ取付部１９の位置を合わせ、他方の手で取付ネジ２１の締結をすることで化粧グリル６を本体２に装着でき、スペーサー２０の固定と、開口穴１８とネジ取付部１９の位置合わせを同時に行い、取付ネジ２１の締結作業を行う必要がなく、本体２への化粧グリル６の取り付け作業を容易に行うことができる。
【００５４】
また、スペーサー２０に円形薄肉部２３を設けることで、円形薄肉部２３を目印にしてスペーサー２０の切断面が開口穴１８およびネジ取付部１９と平行に切断することができるため、スペーサー２０と開口穴１８もしくはネジ取付部１９の当接面が平行に当接でき、ひいては、取付ネジ２１の締結時にスペーサー２０と開口穴１８もしくはネジ取付部１９の当接面に均等にテンションが加わり、局所的な破損を防止できる。また、複数のスペーサー２０をすべて同一の高さに切断することができ、本体２下面とスペーサー２０を平行に設置することができる。また、円形薄肉部２３以外の部分を切断するより容易に切断を実施することができる。
【００５５】
また、本体２下部の壁部１３に取り付けられた落下防止用金具２４および化粧グリル６の突壁１５に取り付けられた落下防止用受部２５によって、化粧グリル６取り付け時に作業ミスにより化粧グリル６を落下しそうになっても、化粧グリル６の落下防止用受部２５が落下防止用金具２４に保持され床面まで落下することがなく、化粧グリル６の破損や変形による再取り付け不能状態に至らない。また、化粧グリル６を０°、９０°および２７０°で回転させて取り付けた場合でも、落下防止用金具２４と相対する位置に落下防止用受部２５を設けているため、落下防止用金具２４は化粧グリル６に設けた落下防止用受部２５を保持することができ、化粧グリル６の取り付け角度にかかわらず化粧グリル６の落下を防止できる。
【００５６】
なお、本実施の形態１では、化粧グリル６を０°、９０°および２７０°のそれぞれ角度で回転させた配置を例に説明しているが、これは、０°、９０°、１８０°および２７０°のすべての角度もしくは任意の角度に落下防止用受部２５を配置しても効果に差異はない。
【００５７】
また、落下防止用金具２４を本体２下面の壁部１３の内側面近傍へ、落下防止用受部２５を突壁１５へ設けているが、落下防止用金具２４と落下防止用受部２５の配置を入れ替えても同様の効果が得られる。また、落下防止用金具２４は本体２下面の壁部１３の内側近傍に設けているが、これは、本体２と固定される部位ならどこでもよく、また、落下防止用受部２５についても同様に、化粧グリル６と固定される部位ならどこに設けても同様の機能を有する。また、落下防止用金具２４は壁部１３に１箇所設け、落下防止用受部２５は突壁１５に３箇所設けているが、落下防止用受部２５は突壁１５を１箇所に設け、落下防止用金具２４を壁部１３の落下防止用受部２５と相対する位置へ３箇所設けても効果は同様である。
【００５８】
また、誤取付防止リブ２６とリブ接地部２７を設けることで、本体２下面へ化粧グリル６を設計者の意図した配置以外で取り付けようとした場合に、突壁１５が壁部１３内へ挿入される前に誤取付防止リブ２６がリブ接地部２７と当たるため、取り付けができなくなり、作業者へ取り付けが間違っていることを知らせるとともに、設計者の意図しない角度での取り付けを防止することになる。
【００５９】
また、化粧グリル６に開口部１０を備え、前記開口部１０と同形状であり前記室内空気吸込み口１１を備えた吸込みパネル１２を備えることで、化粧グリル６から吸い込みパネルを着脱するのみで、化粧グリル６を天井板５から取り外すことなくメンテ口（図示せず）よりメンテをすることができる。
【００６０】
また、ネット２８を室内空気吸込み口１１と格子板２９で挟み固定することで、例えば室内空気吸込み口１１をネット２８と格子板２９でインサート成型で固定した場合は、ネット２８両面が樹脂の格子で成型されてしまうが、実施の形態１によると、格子がネット２８の一面のみで固定できるため、他方の面はネット２８のみで格子がなく、清掃を行う際に格子が掃除機や雑巾の障害にならない容易な清掃を行うことができる。
【００６１】
また、吸い込みパネルおよび化粧グリル６の断面を略アーチ状の膨らみを持たせることで、平板状の形状に比べ強度が強くなるため、外力が加わった場合や自重による変形に強くなる。
【産業上の利用可能性】
【００６２】
本発明にかかる換気装置は、本体を天井内へ設置し、室内天井面に化粧グリルを備え、換気装置の本体により化粧グリルを介して吸引した室内空気を室外へ排気する換気装置に有用である。
【図面の簡単な説明】
【００６３】
【図１】本発明の実施の形態１における換気装置の設置状態を示す斜視図
【図２】同換気装置の化粧グリルを示す斜視図
【図３】同換気装置の本体下面を示す平面図
【図４】同換気装置の化粧グリルのネジ取付部の取付状態を示す斜視図
【図５】同換気装置のスペーサーを示す斜視図
【図６】同換気装置の落下防止機構を示す斜視図
【図７】同換気装置の化粧グリルの断面を示す断面図
【図８】従来の換気装置の設置時の断面図
【図９】同換気装置の化粧グリルの本体への係着機構を示す断面図
【符号の説明】
【００６４】
２    本体
３    室内空気
４    本体吸込み口
６    化粧グリル
１１  室内空気吸込み口
１２  吸込みパネル
１３  壁部
１４  凹部
１５  突壁
１８  開口穴
１９  ネジ取付部
２０  スペーサー
２１  取付ネジ
２２  凸リブ
２３  円形薄肉部
２４  落下防止用金具
２５  落下防止用受部
２６  誤取付防止リブ
２７  リブ接地部
２８  ネット
２９  格子板
【図１】
2006284114.tif 000003
【図２】
2006284114.tif 000004
【図３】
2006284114.tif 000005
【図４】
2006284114.tif 000006
【図５】
2006284114.tif 000007
【図６】
2006284114.tif 000008
【図７】
2006284114.tif 000009
【図８】
2006284114.tif 000010
【図９】
2006284114.tif 000011